(57)【特許請求の範囲】
【請求項１】
回転する切断刃によって芝草を刈り取るようにした芝刈り機であって、
前記切断刃の上部に近接してこれと一体に回転するように設けられ、その回転に伴い前記芝草の刈り屑をすくい上げて上方に搬送する回転搬送部材と、
前記回転搬送部材の上方に集草空間が形成されるように、該回転搬送部材を上方から覆うカバー部材と、
前記カバー部材に形成された開口から排出された刈り屑を受け止めるためのレシーバと、を備え、
前記切断刃及び前記回転搬送部材が設けられている芝刈り機本体の下部に、前記切断刃と略平行なベース面を有するベース部材が高さ調節可能に取り付けられており、
前記レシーバが前記ベース部材と一体に設けられていることを特徴とする芝刈り機。
【請求項２】
回転する切断刃によって芝草を刈り取るようにした芝刈り機であって、
前記切断刃の上部に近接してこれと一体に回転するように設けられ、その回転に伴い前記芝草の刈り屑をすくい上げて上方に搬送する回転搬送部材と、
前記回転搬送部材の上方に集草空間が形成されるように、該回転搬送部材を上方から覆うカバー部材と、を備え、
前記回転搬送部材には、下端が前記切断刃の切刃の刃先に近接する一方、上端が前記集草空間に連通する螺旋状の搬送路が形成されるとともに、その集草空間において回転方向の前側へ刈り屑を搬送するための搬送腕部が設けられ、
前記搬送腕部によって回転方向に搬送される刈り屑を排出するための開口が、前記カバー部材の後部に形成され、
前記カバー部材の後部の開口から排出された刈り屑を受け止めるためのレシーバを更に備え、
前記切断刃及び前記回転搬送部材が設けられている芝刈り機本体の下部に、前記切断刃と略平行なベース面を有するベース部材が高さ調節可能に取り付けられており、
前記レシーバが前記ベース部材と一体に設けられていることを特徴とする芝刈り機。
【請求項３】
カバー部材は、上方に移動して集草空間の外周の少なくとも一部を開放可能に設けられていることを特徴とする請求項１又は２に記載の芝刈り機。
【発明の詳細な説明】
【技術分野】
【０００１】
本発明は、回転する切断刃によって芝草を刈り取るようにした芝刈り機に関する。
【背景技術】
【０００２】
従来より、片手でも使用できる手持ち式の芝刈り機として、切断刃を２枚、上下に重ね合わせて設け、両者の切刃により芝草を鋏み切るようにしたものが公知である。それらは、櫛状に設けられた切刃を有する切断刃が相互に揺動する揺動式のものと、外周側に切刃を有する円盤状の切断刃が回転する回転式のものと、に大別される。また、回転式のものでは単一の切断刃を回転させて、芝草を刈り取るようにしたものもある。
【０００３】
そうして切断刃が回転するものでは、これにより刈り取られた芝草の刈り屑が遠心力によって水平方向に飛散し、後の掃除が面倒だという不具合を生じるが、例えば特許文献１に記載のものでは、回転する切断刃の上方をフードで覆うとともに、その切断刃に一体にファンを設けて上向きに風を発生させ、これにより芝草の刈り屑を吸い上げて、前記フードの上方に設けた刈り屑収集袋に収集するようにしている。
【特許文献１】実開昭４９−１３８０５６号公報
【発明の開示】
【発明が解決しようとする課題】
【０００４】
しかしながら、一般に、手持ち式の芝刈り機では切断刃をあまり高速で回転させることができず、これと一体にファンを設けても強い風は起こらない。一方で芝草の刈り屑は、水分を含むとかなり重くなることもあり、前記従来例のものでは、実際には芝草の刈り屑を狙い通りに吸い上げることができず、その飛散を防止できるものではなかった。
【０００５】
斯かる点に鑑みて、本発明は、上述の如き回転式の芝刈り機において刈り取った芝草を収集するための構造に工夫を凝らし、刈り屑が周囲に飛び散らないようにすることを目的とする。
【課題を解決するための手段】
【０００６】
前記の目的を達成するために、請求項１の発明は、回転する切断刃によって芝草を刈り取るようにした芝刈り機を対象とし、該切断刃の上部に近接して、これと一体に回転するように設けられ、その回転に伴い前記芝草の刈り屑をすくい上げて上方に搬送する回転搬送部材と、この回転搬送部材の上方に集草空間を形成するように該回転搬送部材を上方から覆うカバー部材と、前記カバー部材に形成された開口から排出された刈り屑を受け止めるためのレシーバと、を備え、前記切断刃及び前記回転搬送部材が設けられている芝刈り機本体の下部に、前記切断刃と略平行なベース面を有するベース部材が高さ調節可能に取り付けられており、前記レシーバが前記ベース部材と一体に設けられている、という構成とする。
【０００７】
前記構成の芝刈り機では、回転する切断刃によって芝草が刈り取られると、その刈り屑が切断刃と一体に回転する回転搬送部材によりすくい上げられて、上方のカバー部材により覆われた集草空間に搬送されるようになる。
【０００８】
つまり、従来までのようにファンにより発生させた風によって吸い上げるのではなく、スクリュウコンベアのように刈り屑をすくい上げて搬送することで、芝草が水分を含んで重いときでも、その刈り屑をより確実に上方の集草空間へ搬送して、周囲への飛散を防止することができる。
【０００９】
そうしてカバー部材の開口から排出される芝草の刈り屑を受け止めるためのレシーバを備えることにより、前記刈り屑がレシーバに受け止められて、そこに堆積するようになる。そうして堆積した刈り屑が或る程度以上、多くなれば、これを屑箱等に捨てればよい。
【００１０】
また、芝刈り機本体に取り付けたベース部材は切断刃と略平行なベース面を有するので、本体を芝生の上に置いて滑らせるように移動させながら、芝草を均一な高さに揃えて刈り取ることができる。また、その刈り込み高さは、ベース部材の高さ調節により設定できる。つまり、芝草をきれいに刈り込むことが容易になる。
【００１１】
そして、そのように芝刈り機を支えるベース部材には或る程度以上、大きなベース面を設ける必要があるが、このベース面の上方を刈り屑のレシーバとして利用すれば、芝刈り機をコンパクトに構成しつつ、十分な容量のレシーバを設けることができる。
【００１２】
また、請求項２の発明は、回転する切断刃によって芝草を刈り取るようにした芝刈り機であって、前記切断刃の上部に近接してこれと一体に回転するように設けられ、その回転に伴い前記芝草の刈り屑をすくい上げて上方に搬送する回転搬送部材と、前記回転搬送部材の上方に集草空間が形成されるように、該回転搬送部材を上方から覆うカバー部材と、を備え、前記回転搬送部材には、下端が前記切断刃の切刃の刃先に近接する一方、上端が前記集草空間に連通する螺旋状の搬送路が形成されるとともに、その集草空間において回転方向の前側へ刈り屑を搬送するための搬送腕部が設けられ、前記搬送腕部によって回転方向に搬送される刈り屑を排出するための開口が、前記カバー部材の後部に形成され、前記カバー部材の後部の開口から排出された刈り屑を受け止めるためのレシーバを更に備え、前記切断刃及び前記回転搬送部材が設けられている芝刈り機本体の下部に、前記切断刃と略平行なベース面を有するベース部材が高さ調節可能に取り付けられており、前記レシーバが前記ベース部材と一体に設けられている、という構成とする。
【００１３】
この構成により、請求項１の発明と同様の作用効果が得られる。しかも、前記回転する切断刃の切刃によって刈り取られた芝草の刈り屑が直ちに搬送路に導かれ、回転搬送部材の回転に伴い螺旋状の搬送路を上方に移動して、集草空間に搬送される。そして、その集草空間において搬送腕部により回転方向に搬送されて、カバー部材の後部開口から芝刈り機の後方に向かって排出されるようになる。つまり、集草空間に収集した芝草の刈り屑がそこに滞留することなく、連続的に芝刈り機の後方に排出されることになるので、集草空間をあまり大きくする必要がなく、芝刈り機をコンパクトに構成する上で有利になる。
【００１４】
さらに、好ましいのは、請求項１又は２の発明において、前記のように回転搬送部材を上方から覆って集草空間を形成するカバー部材を、上方に移動して集草空間の外周の少なくとも一部を開放できるように設けることである（請求項３の発明）。こうすれば、集草空間に残った刈り屑の除去も容易に行える。また、上方への移動によってカバー部材が切断刃から離れることになるので、背の高い芝草の刈り取りも容易になる。
【発明の効果】
【００１５】
以上のように、本発明に係る芝刈り機によると、切断刃を回転させるようにしたものにおいて、その切断刃の上部に近接させて、スクリュウコンベアのように芝草の刈り屑をすくい上げ、上方に搬送する回転搬送部材と、この回転搬送部材の上方に集草空間が形成されるように、該回転搬送部材を上方から覆うカバー部材と、前記カバー部材に形成された開口から排出された刈り屑を受け止めるためのレシーバとを設け、このレシーバを、芝刈り機本体の下部に高さ調節可能に取り付けたベース部材と一体に設けたことにより、例えば水分を含んで重くなった刈り屑もより確実に上方の集草空間に収集することができ、刈り屑の周囲への飛散を防止できる。また、或る程度以上の大きさのベース面の上方を刈り屑のレシーバとして利用することで、芝刈り機をコンパクトに構成しつつ、十分な容量のレシーバを設けることができる。
【発明を実施するための最良の形態】
【００１６】
以下、本発明の実施形態を図面に基いて説明する。尚、以下の好ましい実施形態の説明は、本質的に例示に過ぎず、本発明、その適用物或いはその用途を制限することを意図するものではない。
【００１７】
図１乃至図６には、本発明を適用した手持ち式の芝刈り機、特に回転刃及び固定刃を備えた芝刈り機Ａの実施形態を示す。この芝刈機Ａは、駆動源やその制御回路、伝動ギヤ等を収容するハウジング１（芝刈り機本体）の前側（図１、２の右側）下部に、概略円盤状の回転刃２及び固定刃３（上側及び下側の切断刃）が上下に重ね合わされて設けられており、上側に位置する回転刃２を回転させ、その外周の切刃２ａ，２ａ，…（図４参照）と下側の固定刃３の切刃３ａ，３ａ，…とにより芝草を鋏み切って、刈り取るようにしたものである。また、回転刃２の上部に近接して、詳しくは後述するが、それと一体に回転してスクリュウコンベアのように芝草の刈り屑を上方に搬送する回転搬送部材４が設けられている。
【００１８】
前記ハウジング１は、例えば左右二つ割りの樹脂製部品を組み合わせてなり、その前側には図示しない電動モータ（駆動源）を上下方向に向けて収容するハウジング本体１０が形成されるとともに、このハウジング本体１０の上部から後側に向かって、後端側が下方に湾曲するように延びる概略Ｊ字状のハンドル１１が一体に設けられている。また、そのハンドル１１の下端から前側の斜め下方に向かって延びて、後述の如くベース部材７を保持するベース保持部１２が設けられ、このベース保持部１２の前側上部がハウジング本体１０の下部に連繋されている。
【００１９】
前記ハウジング本体１０は全体として上窄まりの円筒状とされていて、その下側部分は、ベース保持部１２に繋がる後側の部位を除いて、周囲を半透明の樹脂製カバー部材５（図１では斜線を入れて示す）により覆われている。このカバー部材５は、図３や図４にも示すように、ハウジング本体１０の下側部分から下方の回転搬送部材４の上部までを覆う概略傘状のカバー部５０と、その後端から左右に相対向しつつ後方に延びる一対の腕部５１，５１とを備え、さらにその左側の腕部５１に沿うように後方に延びる延出部５２が形成されていて、その後端が後方に向かい開口している（開口５２ａ）。
【００２０】
また、前記左右一対の腕部５１，５１には、それぞれの後部で左右外方に突出するようにボス部５３が設けられていて、図示省略のねじ等によりハウジング本体１０に対し回動可能に連結されている。これによりカバー部材５は、ボス部５３において左右方向の軸の周りに回動可能とされ、図１等に示すようにカバー部５０の下縁が回転刃２と略平行になる下側位置と、そこから上方に回動された上側位置とのいずれかに位置づけられるようになっている。
【００２１】
尚、前記カバー部５０の前側の上部には、これをハウジング本体１０に係止するための係止爪部５４が設けられている。すなわち、ハウジング本体１０の前部には、上下に離間してそれぞれ前記係止爪部５４を係止可能な２つのスリット１０ａ，１０ｂが形成されており、このいずれかのスリット１０ａ，１０ｂにより前記カバー部５０の係止爪部５４が係止されることで、カバー部材５が前記上側位置及び下側位置にそれぞれ保持されるようになっている。
【００２２】
前記ハウジング１のハンドル１１の内部には、図示しないが電動モータのＯＮ・ＯＦＦスイッチが配設されるとともに、このハンドル１１を把持した手の指で操作しやすいよう、ハンドル１１の前側下部にはトリガー６が配設されており、このトリガー６が操作されて、ＯＮ・ＯＦＦスイッチがＯＮ・ＯＦＦ切換えられることで、電動モータが起動し又は停止するようになっている。
【００２３】
また、前記ベース保持部１２には、その長手方向に伸びる長穴１２ａが左右に貫通して形成されており、ここにはベース部材７を締結するためのボルト８が挿通されるようになっている。この長穴１２ａの上辺は、ボルト８の軸部に対応する大きさの凹部が複数（図の例では５つ）並んだ波形に形成されており、そのいずれかに対応するように位置づけたボルト８によって、ベース部材７をベース保持部１２に締結することができる。尚、この例では図２のみに実線で示すが、ボルト８の端部に樹脂製の把持部８ａが取り付けられており、使用者は指でボルト８を緩めたり、締め付けたりすることができる。
【００２４】
そうしてボルト８によりベース部材７を締結する位置を長穴１２ａに沿ってベース保持部１２の前側に移動させれば、図５に示すようにベース部材７がハウジング１に対し低くなる（ベース部材７によって支持されるハウジング１の位置が高くなる）一方、反対に後側に移動させれば、ベース部材７はハウジング１に対して高くなる。つまり、ベース部材７は、ハウジング１に対して高さ調節可能に取り付けられるようになっている。
【００２５】
図４の分解斜視図に示すように、回転刃２及び固定刃３は、それぞれ外周側に複数の切刃２ａ，…，３ａ，…を有している。図の例では回転刃２は、円盤状の本体外周から径方向外方に延びていて、その回転方向前側に刃先が形成された３つの切刃２ａ，２ａ，…を有し、一方、固定刃３は、その外周に櫛状に多数の切刃３ａ，３ａ，…を有している。固定刃３は、ハウジング本体１０に支持された固定軸９（図１を参照）の下端に回動不能に固定され、一方、回転刃２は、刃先を該固定刃３と摺接するようにして、固定軸９の下端側外周に回動自在に支持されている。
【００２６】
そして、前記回転刃２は、上方の回転搬送部材４を介して伝動ギヤからの回転力を受け入れて、図２、３において反時計回りに回転され、その切刃２ａ，２ａ，…がそれぞれ固定刃３の多数の切刃３ａ，３ａ，…と順次、交差して、芝草を次々と鋏み切るようになっている。
【００２７】
すなわち、まず、回転搬送部材４は、図４に示すように円筒部４０の内周側に略同軸にボス部４１が設けられており、このボス部４１の上側内周には、図示しない伝動ギヤの軸部外周に設けられた複数の突条と噛み合うように複数の（図の例では３つの）溝４１ａ，４１ａ，…が形成される一方、ボス部４１の下側外周には、回転刃２の中心孔内周に形成された複数の（図の例では６つの）凹部２ｂ，２ｂ，…と噛み合うように複数の突条（図示せず）が形成されている。つまり、回転搬送部材４のボス部４１は、伝動ギヤからの回転力を回転刃２へ伝達する機能を有する。
【００２８】
また、回転搬送部材４の円筒部４０の外周には３つの羽根部４２，４２，…が周方向に離間して設けられており、当該回転搬送部材４は、全体としては扁平なスクリュウのような形状となっている。この回転搬送部材４の円筒部４０の上端は、図３に破線で示すように、ハウジング本体１０の下端前部に対し下方のやや外周側に近接しており、一方、その外周の３つの羽根部４２，４２，…は、それぞれ、外周縁がカバー部材５のカバー部５の外周壁内面に近接している。
【００２９】
そして、前記各羽根部４２は、その回転方向前側の範囲（図の例では周方向長さの２／３くらいの範囲）が前側ほど下方に位置する傾斜部４２ａとされ、残りの範囲は水平部４２ｂとされていて、この水平部４２ｂの下面が、図１の如く下側位置にあるカバー部材５の外周壁下縁と略同じ高さに位置している。つまり、カバー部材５のカバー部５０内には、回転搬送部材４の円筒部４０よりも外周側で、その羽根部４２，４２，…の上方に概略環状の空間部Ｓが形成されている。
【００３０】
また、前記各羽根部４２の傾斜部４２ａの下端（回転方向前端）は、それぞれ、図６に拡大して示すように回転刃２の各切刃２ａの刃先の回転方向後側に近接しており、このことで、前記のように回転刃２の切刃２ａと固定刃３の切刃３ａとによって鋏み切られた芝草の刈り屑が、回転搬送部材４の羽根部４２の傾斜部４２ａによって直ちにすくい上げられるようになっている。さらに、各羽根部４２の傾斜部４２ａの外周縁には、その回転方向の範囲に亘って上方に延びる円周壁部４２ｃが形成されていて、その上端が水平部４２ｂと略同じ高さに達している。
【００３１】
このことで、回転搬送部材４には、その本体である円筒部４０の外周に、羽根部４２の傾斜部４２ａと円周壁部４２ｃとによって囲まれて、下端が回転刃２の切刃２ａの刃先に近接する一方、上端が上方の空間部Ｓに連通する螺旋状の搬送路が形成されており、回転刃２によって刈り取られた芝草の刈り屑を前記螺旋状搬送路によって上方の空間部Ｓへと搬送するようになっている。この空間部Ｓを以下、集草空間Ｓともいう。
【００３２】
さらに、前記回転搬送部材４の羽根部４２，４２，…には、それぞれの水平部４２ｂの回転方向後端から立ち上がり、且つ半径方向に延びる立壁部４２ｄが形成され、その上端が円筒部４０の上端と同じ高さにまで達している。この立壁部４２ｄは、回転搬送部材４の回転に伴い集草空間Ｓ内を移動して、芝草の刈り屑を回転方向の前側へ搬送する搬送腕部として機能する。
【００３３】
すなわち、回転搬送部材４の回転に伴いその羽根部４２，４２，…の傾斜部４２ａに沿って上方の集草空間Ｓに搬送された刈り屑は、今度は、その集草空間Ｓにおいて立壁部４２ｄにより回転方向に搬送されることになり、その搬送方向が芝刈り機Ａの後方となるハウジング１の左側にてカバー部材５の後方の延出部５２に押し出され、その後端の開口５２ａから後方に向かって排出されるようになっている。
【００３４】
そうしてカバー部材５の後部の開口５２ａから排出される刈り屑を受け止めるように、この実施形態ではハウジング１に取り付けられたベース部材７に、芝草の刈り屑を受け止める屑受け部Ｒ（レシーバ）が設けられている。このベース部材７は、例えば樹脂の射出成形、金属板のプレス成形等により形成され、図２に示すように上方から見て、概略矩形状の後半部分から前側に向かって相対的に幅の狭い延出部が設けられた異形の底板部７０と、この底板部７０の後縁から左側縁にかけて上方に立ち上り、上端がカバー部材５の後部の開口５２ａよりも高くなるように上方に延びる背板部７１と、を備えている。
【００３５】
図１、５に示すように、前記底板部７０には、左右の中間部において後側ほど高くなるように傾斜して立ち上がる膨出部７２が形成され、この膨出部７２の後端側は背板部７１の上端と同じ高さに達して、さらに上方の斜め後側に延びている。この膨出部７２の上面がハウジング１のベース保持部１２の下面に当接することで、ベース部材７の底板部７０の下面（ベース面）が回転刃２と略平行に位置づけられる。
【００３６】
また、前記ベース部材７の底板部７０には、膨出部７２の左右両側からそれぞれ立ち上がって、上部が膨出部７２の上面よりも高くなるように延びる三角形状の腕部７３，７３が形成されている。この左右一対の腕部７３，７３は、ハウジング１のベース保持部１２を左右両側から挟み、それぞれに形成された貫通孔に右側からボルト８が挿通されるようになっている。左側の腕部７３の貫通孔には内周にねじが螺刻されており、ここにボルト８の軸部の先端側が螺入される。
【００３７】
そうしてハウジング１のベース保持部１２にベース部材７が取り付けられた状態で、図２に示すようにハウジング１の左側には、ベース部材７の底板部７０の上方においてその後側から左側にかけて背板部７１により囲まれて、カバー部材５の後部の開口５２ａから排出される刈り屑を受け止め、それを堆積させる屑受け部Ｒが形成されている。
【００３８】
次に、この実施形態の手持ち式芝刈り機Ａの作動について説明する。
【００３９】
まず、使用者は、芝刈り機Ａのハンドル１１を把持してそれを芝生の上に置き、ベース部材７によって支持した状態で、ハンドル１１のトリガー６を引く。すると電動モータが起動し、伝動ギヤを介して回転刃２が回転されて、その３つの切刃２ａ，２ａ，…がそれぞれ固定刃３の多数の切刃３ａ，３ａ，…と順次、交差して、これら多数の切刃３ａ，３ａ，…の間で上方に延びる芝草を次々と鋏み切ってゆく。
【００４０】
そうして回転刃２及び固定刃３によって刈り取られた芝草の刈り屑は、回転刃２と一体に回転する回転搬送部材４の羽根部４２によりすくい上げられ、図３に黒い矢印で示すように上方に搬送されて、周囲に飛び散ることなく、上方のカバー部材５により覆われた集草空間Ｓに至る。この空間部Ｓでは刈り屑は、今度は回転搬送部材４の各羽根部４２の立壁部４２ｄによって、同図に白抜きの矢印で示すように回転方向前側に搬送される。
【００４１】
そうして集草空間Ｓを回転搬送部材４の回転方向に搬送される刈り屑は、遠心力によって徐々に外周側に片寄っていき、ハウジング１の左側においてカバー部材５の後方延出部５２に押し出され、集草空間Ｓ内に滞留することなく、該後方延出部５２の後端開口５２ａからからカバー部材５外へ連続的に排出される。こうして連続的に排出された刈り屑はベース部材７上の屑受け部Ｒに堆積し、それが或る程度以上、多くなれば、屑箱等に捨てられる。
【００４２】
また、芝刈り機Ａの使用後に、例えば水分を含んだ刈り屑が集草空間Ｓに残留している場合は、カバー部材５の前部を上方に引き上げ、その係止爪部５４をハウジング本体１０のスリット１０ａに係止させて、上側位置に保持する。こうすれば、集草空間Ｓの前側外周が開放されるので、その内部に残留している刈り屑を除去しやすい。また、そうして上側位置に保持すれば、カバー部材５が回転刃２から上方に大きく離れることになるから、背の高い芝草の刈り取りも容易になる。
【００４３】
したがって、この実施形態に係る手持ち式芝刈り機Ａによると、回転刃２及び固定刃３によって刈り取った芝草の刈り屑を、回転搬送部材４によりスクリュウコンベアのようにすくい上げて、上方に搬送するようにしたから、例えば水分を含んで重くなった刈り屑を従来よりも確実に上方に搬送し、周囲に飛散させることなく、カバー部材５によって覆われた集草空間Ｓに収集することができる。
【００４４】
また、そうして集めた刈り屑を集草空間Ｓにおいて回転方向に搬送し、カバー部材５の後部の開口５２ａから連続的に後方へ排出して、ベース部材７上の屑受け部Ｒに堆積させるようにしたから、カバー部材５をあまり大きくする必要がなく、芝刈り機Ａをコンパクトに構成する上で有利になる。
【００４５】
さらに、そうしてベース部材７上の屑受け部Ｒに堆積する刈り屑を見れば、使用者は、芝草をどのくらい刈り取ったのかが一目で分かり、それが或る程度、多くなれば容易に屑箱等に捨てることができて、非常に利便性が高い。
【００４６】
しかも、刈り屑を堆積させる屑受け部Ｒには或る程度以上の容量が必要だが、芝刈り機Ａを芝生上に支持するベース部材７には本来、或る程度以上の大きさのベース面が必要とされ、このベース面に対応する底板部７０上のスペースを屑受け部Ｒとして利用すれば、芝刈り機Ａをコンパクトに構成しながら、屑受け部Ｒの容量は十分に確保することができる。
【００４７】
さらにまた、そうして大きなベース面によって支持しているから、この実施形態の芝刈り機Ａは、芝生の上を前後左右に滑らせるように移動させながら、芝草を均一な高さに揃えてきれいに刈り取ることが容易に行える。その刈り込み高さは、ボルト８を緩めてベース部材７の高さを変更することで、容易に変更できる。
【００４８】
尚、前記の実施形態では本発明を、回転刃２及び固定刃３によって芝草を挟み切るようにした芝刈り機Ａに適用しているが、これに限らず、単一の回転刃によって芝草を刈り取るように構成した芝刈り機にも本発明を適用できることは言うまでもない。
【００４９】
また、前記の実施形態では本発明を手持ち式の芝刈り機Ａに適用しているが、これに限らず、本発明は手持ち式でないものに適用することも可能である。
【産業上の利用可能性】
【００５０】
以上、説明したように、本発明は、回転式の芝刈り機において、芝草の刈り屑が周囲に飛散することを防止できるので、比較的狭い芝生の刈り込みに用いられる手持ち式のものに特に好適である。
【図面の簡単な説明】
【００５１】
【図１】本発明の実施形態に係る手持ち式芝刈り機の側面図である。
【図２】同上面図である。
【図３】回転搬送部材とカバー部材とを取り出して、両者間に形成される集草空間を示す説明図であり、(a)は上面図、(b)は側面図である。
【図４】カバー部材、回転搬送部材、回転刃及び固定刃の分解斜視図である。
【図５】ベース部材が最も低い位置にあるときの図１相当図である。
【図６】回転刃の切刃の刃先と回転搬送部材の羽根部下端との位置関係を示す拡大図である。
【符号の説明】
【００５２】
Ａ      芝刈り機
Ｒ      屑受け部（レシーバ）
Ｓ      空間部（集草空間）
１      ハウジング（芝刈り機本体）
１２    ベース保持部（芝刈り機本体の下部）
２      回転刃（切断刃）
２ａ    切刃
３      固定刃
３ａ    切刃
４      回転搬送部材
４０    円筒部
４２    羽根部
４２ａ  羽根部の傾斜部（螺旋状搬送路）
４２ｃ  円周壁部（螺旋状搬送路）
４２ｄ  立壁部（搬送腕部）
５      カバー部材
５０    カバー部
５２    延出部
５２ａ  開口
７      ベース部材
【図１】
0004838624.tif 000002
【図２】
0004838624.tif 000003
【図３】
0004838624.tif 000004
【図４】
0004838624.tif 000005
【図５】
0004838624.tif 000006
【図６】
0004838624.tif 000007